(57)【要約】【課題】  上面接触式および側面接触式のいずれにおいても共用が可能であり、廉価に構成し得る同軸コネクタのレセプタクルを提供する。【解決手段】  同軸コネクタのレセプタクル３０は、内部に常閉している一対のコモン端子３４およびノーマルクローズ端子３６が配置され、中心部に軸線方向に移動可能に導電性の切替端子３３が配置され、円形の外側面を有する絶縁体からなるレセプタクルハウジング３２と、切替端子に対応する中心部に開口を有する一つの上面部３８aと、該上面部に少なくともブリッジ部３８cを介して連続され、レセプタクルハウジングの外側面に沿って配置されロック用溝３８eがプレス成形された複数の側面部３８dとを有する金属シェル３８とで構成されている。【選択図】  図２
2005158535.tif 000002
【特許請求の範囲】
【請求項１】
内部に常閉している一対のコンタクト端子が配置され、中心部に軸線方向に移動可能に導電性の切替端子が配置され、円形の外側面を有する絶縁体からなるレセプタクルハウジングと、
前記切替端子に対応する中心部に開口を有する一つの上面部と、該上面部に少なくともブリッジ部を介して連続され、前記レセプタクルハウジングの前記外側面に沿って配置された複数の側面部とを有する導電体からなるシェル端子と、
で構成したことを特徴とする同軸コネクタのレセプタクル。
【請求項２】
前記側面部には、ロック用溝がプレス成形されていることを特徴とする請求項１に記載の同軸コネクタのレセプタクル。
【請求項３】
前記開口を有する一つの上面部、前記ブリッジ部および前記複数の側面部は、同時にプレス成形されていることを特徴とする請求項１または２に記載の同軸コネクタのレセプタクル。
【請求項４】
前記切替端子に接触して押圧する中心部端子と前記上面部に接触する側部端子とを備える同軸プラグと、
請求項１ないし３のいずれかに記載のレセプタクルとを備えることを特徴とする同軸コネクタ。
【請求項５】
前記切替端子に接触して押圧する中心部端子と前記側面部に接触する側部端子とを備える同軸プラグと、
請求項１ないし３のいずれかに記載のレセプタクルとを備えることを特徴とする同軸コネクタ。
【発明の詳細な説明】
【技術分野】
【０００１】
本発明は同軸コネクタのレセプタクル、特に、携帯電話機、無線機等の電子機器に用いられる切替スイッチ付き同軸コネクタのレセプタクルに関する。
【背景技術】
【０００２】
携帯電話機、無線機などの電子機器においては、検査、メンテナンスなどの際に利用するために、切替スイッチ付きの同軸コネクタをその内部回路基板に備えているものが多い。
【０００３】
例えば、携帯電話機に使用されているこの種の切替スイッチ付きの同軸コネクタにおいては、そのレセプタクルが、グランド端子、送受信回路に接続されているコモン端子、および当該携帯電話機のアンテナに接続され、コモン端子と常閉されるように構成されているノーマルクローズ端子を備えている。そして、検査などの際には、測定機が接続されている同軸プラグをこのレセプタクルに接続することで、同軸プラグのグランド端子とレセプタクルのグランド端子とを導通させると同時に、レセプタクルのコモン端子とノーマルクローズ端子との導通を切断し、コモン端子を同軸プラグの中心のノーマルオープン端子側に切替えて導通させるようにしている。
【０００４】
ところで、この種の切替スイッチ付きの同軸コネクタにおいては、検査や測定の種類に応じて同軸プラグの形態を変え、その同軸プラグの形態に合わせた形態のレセプタクルを用いるのが一般的である。このようなレセプタクルとしては、同軸プラグの外側導体への接触の形態に対応して、いわゆる、上面接触式と側面接触式とが知られている。上面接触式とは、同軸コネクタの中心軸に直交するレセプタクルの上面にレセプタクルのグランド端子を配置し、このグランド端子に同軸プラグの内側導体の周りの外側導体のグランド端子を対峙させて接触させる形式であり、側面接触式とは、同軸コネクタの中心軸に平行するレセプタクルの側面にレセプタクルのグランド端子を配置し、このグランド端子に同軸プラグの内側導体の周りの外側導体のグランド端子を嵌合させて接触させる形式である。かかる上面接触式は、その接触状態を維持するための装置が必要であるが、反面、外径を小さくでき、同軸コネクタが用いられる電子機器の筐体の検査用穴を小さくできる。一方、側面接触式は、その外径がやや大きくなるが、その側面の周囲にロック用の溝を形成することにより、同軸プラグとの接触状態を他の助けを借りずに確実に維持する、いわゆる、自立ロックさせることができる。
【０００５】
従来、かかる同軸コネクタにおけるレセプタクルにあっては、上面接触式および側面接触式のいずれにおいても、外側導体のグランド端子が深絞りにより形成され、これが絶縁体の本体に被覆されたものが知られている（例えば、特許文献１参照）。
【０００６】
また、側面接触式のものにあっては、上述の外側導体のグランド端子を深絞りにより形成した後に、切削加工によりロック用の溝を形成したものが知られている（例えば、特許文献２参照）。
【０００７】
【特許文献１】特開２００１−１８５２９６号公報
【特許文献２】特開２００１−３５６０６号公報
【発明の開示】
【発明が解決しようとする課題】
【０００８】
しかしながら、まず、このように同軸プラグの形態に合わせた形態のレセプタクルを用いるようにすると、レセプタクルの数が同軸プラグの種々の形態と同数必要となり、コストを上昇させる一因となっている。
【０００９】
また、ロック用の溝を形成する場合には、外側導体のグランド端子を深絞りにより形成した後に、別工程の切削加工により形成せざるを得ないことから、これもコストを上昇させる一因となっている。
【００１０】
そこで、本発明の目的は、かかる従来の問題を解消し、上面接触式および側面接触式のいずれにおいても共用が可能であり、廉価に構成し得る同軸コネクタのレセプタクルおよびそれを備えた同軸コネクタを提供することにある。
【課題を解決するための手段】
【００１１】
上記目的を達成する本発明の一形態の同軸コネクタのレセプタクルは、内部に常閉している一対のコンタクト端子が配置され、中心部に軸線方向に移動可能に導電性の切替端子が配置され、円形の外側面を有する絶縁体からなるレセプタクルハウジングと、前記切替端子に対応する中心部に開口を有する一つの上面部と、該上面部に少なくともブリッジ部を介して連続され、前記レセプタクルハウジングの前記外側面に沿って配置された複数の側面部とを有する導電体からなるシェル端子と、で構成したことを特徴とする。
ここで、前記側面部には、ロック用溝がプレス成形されていてもよい。
【００１２】
なお、前記開口を有する一つの上面部、前記ブリッジ部および前記複数の側面部は、同時にプレス成形されることが好ましい。
【００１３】
また、上記目的を達成する本発明の他の形態の同軸コネクタは、前記切替端子に接触して押圧する中心部端子と前記上面部に接触する側部端子とを備える同軸プラグと、上記のレセプタクルとを備えることを特徴とする。
【００１４】
さらに、上記目的を達成する本発明の他の形態の同軸コネクタは、前記切替端子に接触して押圧する中心部端子と前記側面部に接触する側部端子とを備える同軸プラグと、上記のレセプタクルとを備えることを特徴とする。
【発明の効果】
【００１５】
本発明によれば、上面接触式および側面接触式のいずれにおいても共用が可能であり、廉価に構成し得る同軸コネクタのレセプタクルおよびそれを備えた同軸コネクタを得ることができる。
【発明を実施するための最良の形態】
【００１６】
以下、添付図面を参照して、本発明の実施形態を説明する。
図１は、本発明にかかる切替スイッチ付き同軸コネクタが用いられる電子機器の一例としての携帯（自動車用）電話機１０およびその車載用または検査用の受け台２０を示すものである。
【００１７】
携帯電話機１０においては、内蔵されたプリント配線基板１２に、切替スイッチ付き同軸コネクタレセプタクル３０が搭載されている。同軸コネクタレセプタクル３０が配設されている箇所に対応するケース位置には、同軸プラグ４０の挿入口１４が形成されている。車載用または検査用受け台２０には、同軸ケーブル２２に接続された同軸プラグ４０がコイルバネ２４によって上方に付勢されて設けられている。携帯電話機１０が車載用または検査用受け台２０上にセットされると、コイルバネ２４の付勢力によって同軸プラグ４０が同軸コネクタ３０に連結されるようになっている。
【００１８】
図２は切替スイッチ付き同軸コネクタレセプタクル３０および同軸プラグ４０からなる同軸コネクタの第１の実施形態を示すものであり、(Ａ)は非接触時、(Ｂ)は接触すなわち連結時である。
【００１９】
図２に示されるように、このコネクタレセプタクル３０は、図６に示されるような樹脂成形され円形の外側面を有する絶縁体からなるハウジング３２を有し、その内部空間内に、一対のコンタクト端子としてのコモン端子３４およびノーマルクローズ端子３６が配設されている。コモン端子３４は、金属性の接触バネ片によって構成されており、そのバネ力によってコモン端子３４の接点３４ａがノーマルクローズ端子３６に接触している。コモン端子３４は、プリント配線基板１２の配線を介して図示しない送受信回路に接続されている。ノーマルクローズ端子３６は、プリント配線基板１２の配線を介してこの携帯電話機１０のアンテナ（図示せず）に接続されている。
【００２０】
ハウジング３２の上面および外側面には、後で詳述するが、グランド端子を構成するシェル端子としての金属シェル３８が、ハウジング３２を覆うように設けられている。金属シェル３８は中心部に開口３８bを有する一つの上面部３８aと、該上面部３８aに少なくともブリッジ部３８cを介して連続され、ハウジング３２の外側面に沿って配置された複数の側面部３８dとで構成され、側面部３８dには、ロック用溝３８eがプレス成形されている。また、ハウジング３２の中心部には、上下に移動可能に導電性の切替端子３３が金属シェル３８の上面部３８aの開口３８bを通して配設されており、本実施の形態では、該切替端子３３はハウジング３２に嵌合された絶縁材料の切替端子保持部材３５に摺動可能に保持されている。
【００２１】
一方、同軸プラグ４０は、絶縁体のハウジング４２と、その中心に配置された中心部端子としてのノーマルオープン端子４４と、外側に配置された側部端子としてのグランド端子４６で構成されている。
【００２２】
かかる構成において、図２（Ａ）に示す同軸プラグ４０が挿入されない通常状態においては、切替端子３３はコモン端子３４のバネ力によって上方に付勢されており、コモン端子３４の接点３４ａがノーマルクローズ端子３６に接触している。すなわち、送受信回路は、コモン端子３４およびノーマルクローズ端子３６を介して当該携帯電話機１０のアンテナと導通状態にある。
【００２３】
一方、図１に示す受け台２０に携帯電話機１０がセットされた際には、同軸プラグ４０は、図２（Ｂ）に示すように連結される。この場合、同軸プラグ４０は、その露呈している中心部端子としてのノーマルオープン端子４４の押圧力によって切替端子３３を押圧し、これにより切替端子３３はコモン端子３４のバネ力に抗して下方に押し下げられる。切替端子３３の下端は、コモン端子３４を押し下げ、この結果コモン端子３４はノーマルクローズ端子３６から離間する。一方、切替端子３３の下端はコモン端子３４と接触しているので、コモン端子３４は、切替端子３３を介して同軸プラグ４０の中心部端子としてのノーマルオープン端子４４と導通する。
【００２４】
また、グランド端子としての金属シェル３８は、その上面部３８aが同軸プラグ４０の側部端子としてのグランド端子４６と接触する。この結果、送受信回路は、コモン端子３４、切替端子３３および同軸プラグ４０の中心部端子としてのノーマルオープン端子４４を介して同軸ケーブル２２に接続された測定機等と信号の授受を行うことができるように切り替えられることになる。
【００２５】
次に、図３は切替スイッチ付き同軸コネクタレセプタクル３０および同軸プラグ４０’からなる同軸コネクタの第２の実施形態を示すものであり、(Ａ)は非接触時、(Ｂ)は接触すなわち連結時である。
【００２６】
図２および図３から明かなように、このコネクタレセプタクル３０は、上述した第１の実施形態の場合と同じくコモン端子３４の接点３４ａがノーマルクローズ端子３６に接触している状態にある。一方、同軸プラグ４０’は、絶縁体のハウジング４２’と、その中心に配置された中心部端子としてのノーマルオープン端子４４’と、外側に配置された側部端子としてのグランド端子４６’とで構成されていることは第１の実施形態の場合と同じであるが、側部端子としてのグランド端子４６’はハウジング４２’およびノーマルオープン端子４４’を越えて延在されている。この実施の形態における側部端子としてのグランド端子４６’は、２分割され、その先端近傍に内側に突出するロック用突条４６’aが形成されている。
【００２７】
かかる構成において、図３（Ａ）に示す同軸プラグ４０’が挿入されない通常状態においては、コネクタレセプタクル３０は、当然に、上述した第１の実施形態の場合と同じである。一方、図１に示す受け台２０に携帯電話機１０がセットされた際には、同軸プラグ４０’は、図３（Ｂ）に示すように連結される。この場合、同軸プラグ４０’は、ハウジング４２’から露呈している中心部端子としてのノーマルオープン端子４４’の押圧力によって切替端子３３を押圧し、これによりコモン端子３４のノーマルクローズ端子３６からノーマルオープン端子４４’への切り替えを行うこと前実施の形態と同じである。
【００２８】
ところで、同軸プラグ４０’の側部端子としてのグランド端子４６’は、そのロック用突条４６’aが、レセプタクル３０のグランド端子としての金属シェル３８の複数の側面部３８dのロック用溝３８eに係合して接触する。この結果、前実施の形態と同様に、送受信回路は、コモン端子３４、切替端子３３および同軸プラグ４０’の中心部端子としてのノーマルオープン端子４４’を介して同軸ケーブル２２に接続された測定機等と信号の授受を行うことができるように切り替えられると共に、同軸プラグ４０’自体は、レセプタクル３０に対して自立してロックされることになる。
【００２９】
上記説明から明かなように、該レセプタクル３０は、上面接触式および側面接触式のいずれの同軸プラグに対しても共用が可能である。そこで、かかるレセプタクル３０における金属シェル３８およびハウジング３２について、その製造方法をも含めてさらに詳述する。
【００３０】
図４および図５は、レセプタクル３０における金属シェル３８を示し、その中、図４（Ａ）は折り曲げ成形前の展開状態を示すものである。本実施の形態における金属シェル３８は、図４（Ａ）の展開図に示すように、中心部に開口３８bを有する一つの円形の上面部３８aに対し、直径方向に延在する２個のブリッジ部３８cを介して連続された側面部３８dが、まず、ブランク材から一体に打ち抜かれて形成される。このとき同時に、ロック用溝３８eがプレス成形される。なお、側面部３８dの端縁部にはプリント配線基板１２のパッドに接続するための接続脚部３８fおよびハウジング３２に取付けるための取付脚部３８gも一体に形成されている。このように、ロック用の溝３８eが同時に成形されるので、従来の別工程の切削加工によるのと比べてコストを一段と低下させることができる。
【００３１】
しかして、図４（Ａ）の展開状態に形成された金属シェル３８は、上面部３８aが逆円錐状にプレス成形されると共に、側面部３８dがハウジング３２の外側面の曲率に合わせて湾曲成形され、さらにブリッジ部３８cで直角に折り曲げられ、図４（Ｂ）、（Ｃ）および図５に示される形状に成形される。
【００３２】
一方、ハウジング３２は、図６に示すように、逆円錐状の上面３２aおよび外側面３２bを備え、上面３２aの中心部には、前述の切替端子３３を摺動可能に保持する切替端子保持部材３５が嵌合される段付孔３２ｃが設けられている。なお、その内部には前述のコモン端子３４およびノーマルクローズ端子３６が配設される空間が形成されている。かかるハウジング３２は樹脂によりモールド成形される。
【００３３】
このようにしてモールド成形されたハウジング３２にコモン端子３４およびノーマルクローズ端子３６を組込み、段付孔３２ｃに切替端子３３を摺動可能に保持する切替端子保持部材３５を嵌合させた後に、金属シェル３８を被嵌させることにより、切替スイッチ付きコネクタレセプタクル３０が構成されるのである。
【００３４】
なお、上に説明した金属シェル３８は２つの側面部３８dを有する例であったが、上面部３８aに対し半径方向に延在するブリッジ部３８cを介して連続された３つ、または４つの側面部３８dを中心部の開口３８bの中心軸に回転対称に配置するようにしてもよい。
【００３５】
このコネクタレセプタクル３０の構造によれば、コモン端子３４及びノーマルクローズ端子３６は、ハウジング３２、切替端子３３および切替端子保持部材３５によって覆われているので、粉塵、ごみなどが進入することがなく、信頼性の有る接点接触を得ることができる。
【００３６】
なお、本発明の切替スイッチ付きコネクタは、携帯電話などの無線機に限らず、パーソナルコンピュータ、プリンタ、ディスプレイ、ＦＤＤ、ＨＤＤ、メモリカードなどの周辺機器、自動車用ナビゲーション機器、ビデオカメラ、ＣＤプレーヤなどの機器に使用される配線板、半導体のパッケージ用基板、ＭＣＭ用基板、その他自動車用、衛星用機器などの分野にも適用可能である。
【図面の簡単な説明】
【００３７】
【図１】本発明に係る同軸コネクタが用いられる一例として携帯電話機およびその受け台を示す断面図である。
【図２】本発明に係るレセプタクルを備える同軸コネクタの第１の実施の形態を示す断面図であり、（Ａ）は連結前の状態、（Ｂ）は連結状態である。
【図３】本発明に係るレセプタクルを備える同軸コネクタの第２の実施の形態を示す断面図であり、（Ａ）は連結前の状態、（Ｂ）は連結状態である。
【図４】本発明に係るレセプタクルの金属シェルを示し、（Ａ）は展開図、（Ｂ）は平面図、（Ｃ）は側面図である。
【図５】本発明に係るレセプタクルの金属シェルの斜視図である。
【図６】本発明に係るレセプタクルのハウジングの斜視図である。
【符号の説明】
【００３８】
３０    レセプタクル
３２    ハウジング
３３    切替端子
３４    コモン端子
３５    切替端子保持部材
３６    ノーマルクローズ端子
３８    金属シェル（グランド端子）
３８a    上面部
３８b    開口
３８c    ブリッジ部
３８d    側面部
３８e    ロック用溝
４０、４０’    同軸プラグ
４２、４２’    ハウジング
４４、４４’     ノーマルオープン端子（中心部端子）
４６、４６’     グランド端子（側部端子）
【図１】
2005158535.tif 000003
【図２】
2005158535.tif 000004
【図３】
2005158535.tif 000005
【図４】
2005158535.tif 000006
【図５】
2005158535.tif 000007
【図６】
2005158535.tif 000008